(57)【要約】      （修正有）【課題】一種の生体認証ロックセットとそのペアリング方法を提供する。【解決手段】生体認証ロックセットは、生体認証ロックとキーとを含み、キーは、保存されたパスワードを生体認証ロックに送信する。生体認証ロックは、生体認証ロックに保存されたパスワードとパスワードが一致すると、ロックが解除される。【選択図】図１０
2019075093.tif 000002
【特許請求の範囲】
【請求項１】
一種の生体認証ロックセットであり、生体認証ロックと、キーとを含み、前記生体認証ロックは第１パスワードを有し、前記キーは第２パスワードを有し、前記キーが前記生体認証ロックに前記第２パスワードを送信し、前記第２パスワードが前記第1パスワードと一致すると、前記生体認証ロックはロック解除されることを特徴とする、生体認証ロックセット。
【請求項２】
前記生体認証ロックは本体と、検知ユニットと、受信ユニットと、トリガーユニットと、保存ユニットとを含み、前記検知ユニットは前記本体の表面に配置され、ユーザによって生体情報を入力し、前記受信ユニットは前記本体の表面に配置され、前記キーから前記第２パスワードを受信し、前記トリガーユニットは前記本体の表面に配置され、前記生体認証ロックをトリガーして設定状態に入るために使用され、前記保存ユニットは前記受信ユニットに接続され、前記生体認証ロックの設定状態において、前記第２パスワードを前記第１パスワードとして保存し、前記保存ユニットは、前記第２パスワードを前記第１パスワードとして保存した後、設定状態を終了することを特徴とする、請求項１に記載の生体認証ロックセット。
【請求項３】
前記検知ユニットは指紋センサを含むことを特徴とする、請求項２に記載の生体認証ロックセット。
【請求項４】
前記受信ユニットは赤外線受信器を含むことを特徴とする、請求項２に記載の生体認証ロックセット。
【請求項５】
前記トリガーユニットは、ボタンを含み、前記ボタンが所定の時間連続して押されると、生体認証ロックがトリガーされて設定状態に入ることを特徴とする、請求項２に記載の生体認証ロックセット。
【請求項６】
前記生体認証ロックは、ロックフックを有する生体認証パッドロックを含み、前記トリガーユニットは、前記ロックフックを含み、前記ロックフックがロック位置にあり、所定時間連続して押されると、前記生体認証ロックがトリガーされて設定状態に入ることを特徴とする、請求項２に記載の生体認証ロックセット。
【請求項７】
前記生体識別用ロックは、本体の表面上に配置された指示ユニットをさらに含み、前記生体識別用ロックが前記設定状態にあるとき、指示信号が生成され、前記設定状態が終了すると、前記指示信号が終了することを特徴とする、請求項２に記載の生体認証ロックセット。
【請求項８】
前記指示ユニットは、表示ランプを含み、前記指示信号は、前記表示ランプによって生成された光信号を含むことを特徴とする、請求項７に記載の生体認証ロックセット。
【請求項９】
前記キーは本体と、ボタンユニットと、保存ユニットと、送信ユニットとを含み、前記ボタンユニットは前記本体の表面に配置され、前記保存ユニットは前記第２パスワードを保存し、前記送信ユニットは、前記ボタンユニットと前記保存ユニットとを接続し、前記第２パスワードは、前記ボタンユニットの押しに応じて生体認証ロックに送信されることを特徴とする、請求項１に記載の生体認証ロックセット。
【請求項１０】
前記送信ユニットは赤外線エミッタを含むことを特徴とする、請求項９に記載の生体認証ロックセット。
【請求項１１】
前記第２パスワードを生成するための制御ユニットをさらに備えることを特徴とする、請求項９に記載の生体認証ロックセット。
【請求項１２】
前記ボタンユニットは、ボタンを含み、前記ボタンが押されたとき、前記送信ユニットをトリガーして前記第２パスワードを送信することを特徴とする、請求項９に記載の生体認証ロックセット。
【請求項１３】
前記制御ユニットは、前記キーに配置され、前記ボタンユニットと前記保存ユニットとを接続し、前記ボタンユニットが押されて前記保存ユニットに生成されることを特徴とする、請求項１１に記載の生体認証ロックセット。
【請求項１４】
前記ボタンユニットは、ボタンを含み、前記ボタンが所定時間連続して押されると、前記制御ユニットがトリガーされて前記第２パスワードを前記保存ユニットに生成することを特徴とする、請求項１２に記載の生体認証ロックセット。
【請求項１５】
前記ボタンユニットは、第１ボタンと第２ボタンとを含み、前記第１ボタンが押されたときに前記送信ユニットが前記第２パスワードを送信するようにトリガーし、前記第２ボタンが 押されると、制御ユニットがトリガーされて、保存ユニットへの第２パスワードが生成されることを特徴とする、請求項１２に記載の生体認証ロックセット。
【請求項１６】
前記キーは、前記本体の表面上に配置された指示ユニットをさらに備え、前記制御ユニットは、前記第２パスワードを生成して指示信号を生成し、前記送信ユニットが前記第２パスワードを送信した後に前記指示信号を終了することを特徴とする、請求項１２に記載の生体認証ロックセット。
【請求項１７】
前記指示ユニットは、表示ランプを含み、前記指示信号は、前記表示ランプによって生成された光信号を含ことを含むことを特徴とする、請求項１６に記載の生体認証ロックセット。
【請求項１８】
一種の生体認証ロックセットのペアリング方法であって、前記生体認証ロックセットは生体認証ロックとキーとを備え、前記ペアリング方法は、以下のステップを含み、
パスワードを生成し、前記パスワードは、前記生体認証ロックおよび前記キーに保存され、前記生体認証ロックにパスワードを送信することによって、前記キーが前記生体認証ロックを解除できることを特徴とする、生体認証ロックセットのペアリング方法。。
【請求項１９】
前記パスワードを生成するステップは、８乃至１６桁の乱数コードを生成するステップを含むことを特徴とする、請求項１８に記載のペアリング方法。
【請求項２０】
前記パスワードを生成するステップは、前記キーによって前記パスワードを生成するステップを含むことを特徴とする、請求項１８に記載のペアリング方法。
【請求項２１】
前記パスワードを生成するステップは、前記キー上のボタンが押されたときまたは所定の時間連続して押されたときに前記パスワードを生成するために前記キーをトリガーするステップを含むことを特徴とする、請求項２０に記載のペアリング方法。
【請求項２２】
前記パスワードを生成するステップは、制御ユニットを介して前記パスワードを生成するステップを含むことを特徴とする、請求項１８に記載のペアリング方法。
【請求項２３】
前記生体認証ロックおよび前記キーに前記パスワードを保存するステップは、
（a）前記パスワードを前記キーに保存することと、
（b）前記キーによって前記パスワードを前記生体認証ロックに送信するステップと、
（c）前記生体認証ロックに前記パスワードが保存されているかどうかを判定し、前記生体認証ロックに前記パスワードが保存されていない場合、新しいパスワードを生成してパスワードを新しいパスワードに置き換えた後、ステップ（ａ）から（ｃ）を繰り返すことを特徴とする、請求項１８に記載のペアリング方法。
【請求項２４】
前記ステップ（b）は、前記キーのボタンが押されたときに前記パスワードを前記生体認証ロックに送信するステップを含むことを特徴とする、請求項２３に記載のペアリング方法。
【請求項２５】
前記ステップ（b）は、前記パスワードを赤外線伝送方式で伝送するステップを含むことを特徴とする、請求項２３に記載のペアリング方法。
【請求項２６】
前記パスワードを生成するステップは、前記キーによって前記パスワードを生成するステップを含むことを特徴とする、請求項２３に記載のペアリング方法。
【請求項２７】
前記パスワードを生成する前記キーに応答して指示信号を生成するステップと、前記キーが前記生体認証ロックに前記パスワードを送信した後に前記指示信号を終了するステップとをさらに含むことを特徴とする、請求項２６に記載のペアリング方法。
【請求項２８】
前記ステップ（c）は、前記生体認証ロックフィードバックの完了信号が所定時間内に検出されたか否かを判断するステップを含み、前記完了信号は前記パスワードが生体認証ロックに保存されたことを示すことを特徴とする、請求項２３に記載のペアリング方法。
【請求項２９】
前記生体認証ロックを設定状態にトリガーするステップと、前記パスワードが前記生体認証ロックに保存された後、設定状態は終了するステップをさらに含むことを特徴とする、請求項２３に記載のペアリング方法。
【請求項３０】
前記生体認証ロックをトリガーして前記設定状態に入るステップは、前記生体認証ロックのトリガーユニットが所定の時間連続して押されたときに前記生体認証ロックが前記設定状態に入るステップを含むことを特徴とする、請求項２９に記載のペアリング方法。
【請求項３１】
前記生体認証ロックが前記設定状態に入ることに応答して、指示信号を生成し、前記設定状態の終了により前記指示信号を終了させることをさらに含むことを特徴とする、請求項２９に記載のペアリング方法。
【発明の詳細な説明】
【技術分野】
【０００１】
本発明は、ロックセット、特に生体認証ロックセット及びそのペアリング方法に関する。
【背景技術】
【０００２】
生体認証ロックは、ユーザが指紋、掌形、掌紋、網膜、虹彩、声紋、静脈などの生体特徴を入力するための検知ユニットを有する。ユーザの生体特徴を識別してユーザの身元を特定し、識別されたら生体認証ロックを解除する。生体認証ロックは、検知ユニットを介してユーザの生体特徴を入力することによってロック解除されるので、検知ユニットが損傷した場合、入力された生体特徴を介して生体認証ロックを解除することができない。
【０００３】
生体認証ロック上にキーボードを設置して、検知ユニットが損傷したときにユーザがキーボードを介して生体認証ロックをアンロックすることを可能にすることが従来から行われている。しかし、生体認証パッドロックや生体認証ボックスロックなどの小型生体認証ロックでは、ボリューム制限のために、ユーザがパスワードを入力するためにキーボードを設定するのは容易ではない。したがって、生体認証ロックの検知ユニットが破損した場合、ユーザは生体認証ロックを解除することができない可能性があり、この時点では生体認証ロックを破棄することによるロック解除以外のことはない。ロック解除の方法は、使用上の不都合を生じる。
【０００４】
したがって、便利な生体認証ロックセットおよびそのペアリング方法が望まれている。
【発明の概要】
【発明が解決しようとする課題】
【０００５】
本発明の目的の1つは、使い勝手の良い生体認証ロックセット及びそのペアリング方法を提供することである。
【０００６】
本発明の目的の1つは、生体認証ロックとキーとを含む生体認証ロックセットと、そのペアリング方法とを提供することである。
【課題を解決するための手段】
【０００７】
本発明によれば、生体認証ロックセットは、第１パスワードを有する生体認証ロックと、第２パスワードを有するキーとを含む。生体認証ロックは、キーが生体認証ロックに第２パスワードを送信し、第２パスワードが第１パスワードと一致するときにロック解除される。
【０００８】
本発明によれば、生体認証ロックとキーとを含む生体認証ロックセットのペアリング方法は、パスワードを生成し、生体認証ロックおよびキーに保存することを含み、キーが生体認証ロックにパスワードを送信することによって、生体認証ロックを解除することができるようにする。
【発明の効果】
【０００９】
本発明の生体認証ロックセットは、生体認証ロックとキーとを備え、生体認証ロックとキーとを同一のパスワードを保存させることにより対とする。キーは、生体認証ロックにパスワードを送信することによって生体認証ロックを解除することができるので、検知ユニットが損傷したときにキーを介して生体認証ロックを解除することができ、使いやすさを向上することができる。
【図面の簡単な説明】
【００１０】
【図１】本発明生体認証ロックセットの概略図である。
【図２】本発明生体認証ロックセットの第1実施形態を示す図である。
【図３】本発明図２に示す生体認証ロックセットの外観を示す模式図である。
【図４】本発明図２に示す生体認証ロックセットの外観を示す模式図である。
【図５】本発明生体認証ロックセットの第２実施形態を示す図である。
【図６】本発明生体認証ロックセットの外観を示す模式図である。
【図７】本発明生体認証ロックセットの外観を示す模式図である。
【図８】本発明図５に示す生体認証ロックセットのキーの外観を示す模式図である。
【図９】本発明生体認証ロックセットのペアリング方法のフローチャートである。
【図１０】本発明生体認証ロックセットのペアリング方法のフローチャートである。
【図１１】本発明生体認証ロックセットのペアリング方法のフローチャートである。
【発明を実施するための形態】
【００１１】
図1に示すように、本発明の生体認証ロックセット１０は、生体認証ロック１２およびキー１４を含む。生体認証ロック１２はパスワードＣｄ１を有し、キー１４はパスワードＣｄ２を有し、キー１４が生体認証ロック１２にパスワードＣｄ２を送信し、パスワードＣｄ２がパスワードＣｄ１と一致すると、生体認証ロック１２はロック解除される。
【００１２】
図２は、図1に示す生体認証ロックセット１０の第１実施形態を示し、キー１４は、ボタンユニット２８と、保存ユニット３０と、送信ユニット３２とを含む。保存ユニット３０はパスワードＣｄ２を保存し、送信ユニット３２はボタンユニット２８と保存ユニット３０とを接続する。ボタンユニット２８が押されたことに応答して、パスワードＣｄ２は、制御ユニット３３を介して生成された８乃至１６桁の乱数コードを含み、生体認証ロック１２に送信される。生体認証ロック１２は、検知ユニット２０と、トリガーユニット２２と、受信ユニット２６と、保存ユニット２４とを備えている。検知ユニット２０は、ユーザが指紋、掌形、掌紋、網膜、虹彩、声紋、静脈などの生体特徴を入力して生体認証ロック１２を解除するものである。トリガーユニット２２は生体認証ロック１２をトリガして設定状態にし、受信ユニット２６はキー１４の送信ユニット３２によって送信されたパスワードＣｄ２を受信し、保存ユニット２４は受信ユニット２６に接続される。生体認証ロック１２の設定状態では、キー１４により送信されたパスワードＣｄ２が保存され、パスワードＣｄ１として使用される。生体認証用ロック１２は、保存ユニット２４がパスワードＣｄ２をパスワードＣｄ１として保存した後、設定状態を終了する。
【００１３】
図３は、図２に示されているような生体認証ロック１２およびキー１４の外観の概略図を示す。図２乃至図３を参照すると、キー１４は本体４２を有し、ボタン４４を含むボタンユニット２８は本体４２の表面上に位置し、赤外線エミッタ４６を含む送信ユニット３２は本体４２の表面上に位置する。本体４２内部に位置する保存ユニット３０に保存されているパスワードＣｄ２は、ボタン４４を押すことにより、赤外線を介して生体認証ロック１２に送信される。生体認証ロック１２は、本体３４を有する指紋識別ロックを含む。指紋センサ３６を含む検知ユニット２０は、ユーザが指紋を入力して生体認証ロック１２をロック解除するために本体３４の表面上に配置される。ボタン３８を含むトリガーユニット２２は、本体３４の表面に配置され、ボタン３８を連続的に所定時間（例えば、３秒）押し続けることにより、生体認証ロック１２がトリガーされて設定状態になる。赤外線受信器４０を含む受信ユニット２６は、本体３４の表面に位置し、キー１４の赤外線エミッタ４６が送信するパスワードＣｄ２を受信する。好ましくは、図４に示すように、生体認証ロック１２は、ロックフック５０を有する生体認証パドロック、例えばロックフック５０を備えた指紋パッドロックを含む。図２および図４を参照すると、ロックフック５０は本体４８の表面上に配置されている。本体４８の表面には指紋センサ３６を含む検知ユニット２０が配置されており、ユーザが指紋を入力して生体認証ロック１２のロックを解除する。トリガーユニット２２は、ロックフック５０を備えている。ロックフック５０がロック位置にあるとき（すなわち、生体認証ロック１２がロックされているとき）、ロックフック５０は所定の時間（例えば３秒）押され続けて生体認証ロック１２をトリガーして設定状態に入る。また、本体４８の表面には、赤外線受信器４０を含む受信ユニット２６が配置されており、赤外線エミッタ４６から送信されたパスワードＣｄ２を受信する。
【００１４】
図５は、生体認証ロックセット１０の第２実施形態を示し、本実施形態では、生体認証ロックセット１０は、生体認証ロック５４およびキー５６を含む。キー５６は、ボタンユニット２８と、保存ユニット３０と、送信ユニット３２と、制御ユニット６０と、および指示ユニット６２とを含む。ボタンユニット２８、保存ユニット３０、および送信ユニット３２は、図２に示す通りであり、詳細な説明は省略する。制御ユニット６０は、ボタンユニット２８と保存ユニット３０とに接続されており、ボタンユニット２８が第１所定時間押し続けられた後にパスワードＣｄ２を生成し、保存ユニット３０に保存する。そして、指示ユニット６２は、ボタンユニット２８に接続され、制御ユニット６０がパスワードＣｄ２を生成することに応じて第１指示信号を生成し、送信ユニット３２が生体認証ロック５４にパスワードＣｄ２を送信した後に第1指示信号を終了する。その中で、パスワードＣｄ２には、８乃至１６桁の乱数コードが含まれている。生体認証ロック５４は、検知ユニット２０と、トリガーユニット２２と、受信ユニット２６と、保存ユニット２４と、および指示ユニット５８とを含む。検知ユニット２０、トリガーユニット２２、受信ユニット２６および保存ユニット２４は、図２に示されているので、ここでは繰り返さない。指示ユニット５８は、トリガーユニット２２に接続されている。トリガーユニット２２が生体認証ロック５４を設定状態にすると、第２指示信号が生成され、生体認証ロック５４の設定状態が終了すると第２指示信号が終了する。
【００１５】
図６は、図５に示されている生体認証ロック５４およびキー５６の外観概略図である。図５乃至図６を参照すると、キー５６は本体６８を有し、ボタン４４を含むボタンユニット２８は本体６８の表面上に配置され、ボタン４４を所定時間押し続けることにより、本体６８内部の制御ユニット６０をトリガーして生成されたパスワードＣｄ２を本体６８内部の保存ユニット３０に保存する。本体６８の表面には、赤外線エミッタ４６を含む送信ユニット３２が配置されており、ボタン４４を押して赤外線エミッタ４６をトリガーしてパスワードＣｄ２を赤外線で生体認証ロック５４に送信する。そして、表示ランプ７０を含む指示ユニット６２が本体６８の表面に位置し、制御ユニット６０がパスワードＣｄ２を生成することにより第１指示信号が生成され、例えば、表示ランプ７０は、第１周波数の光信号を点滅させ、送信ユニット３２がパスワードＣｄ２を生体認証ロック５４に送信した後、表示ランプ７０を消灯させる等の第１指示信号を終了する。生体認証ロック５４は、本体６４を有する指紋認証ロックを含む。指紋センサ３６を含む検知ユニット２０は、本体６４の表面上に配置され、ユーザが指紋を入力して生体認証ロック５４をロック解除するに供する。ボタン３８を含むトリガーユニット２２は、本体６４の表面上に配置され、ボタン３８を第２所定時間（例えば、３秒）継続して押すことによって生体認証ロック５４がトリガーされて設定状態に入る。赤外線受信器４０を含む受信ユニット２６は、本体６４の表面に位置し、キー５６の赤外線エミッタ４６によって送信されたパスワードＣｄ２を受信する。また、表示ランプ６６を含む指示ユニット５８は、本体６４の表面に配置され、生体認証ロック５４が設定状態になると、第２指示信号を生成する。例えば、表示ランプ６６が第２周波数で点滅し、設定状態が終了すると表示ランプ６６が消灯するなど指示信号が終了する。好ましくは、図７に示すように、生体認証ロック５４は、ロックフック７４を有する指紋パッドロックのような、ロックフック７４を有する生体認証パッドロックを含む。図５および図７を参照すると、ロックフック７４は、本体７２の表面に配置されている。指紋センサ３６を含む検知ユニット２０は、本体７２の表面に配置され、ユーザが指紋を入力して生体認証ロック５４をロック解除するために供するのである。トリガーユニット２２は、ロックフック７４を含み、ロックフック７４が閉鎖位置にあるとき（すなわち、生体認証ロック５４がロックされているとき）、第２所定時間（例えば、３秒間）ロックフック７４を押し続けることにより、生体認証ロック５４をトリガして設定状態にする。赤外線受信器４０を含む受信ユニット２６は、本体７２の表面に配置され、赤外線エミッタ４６によって送信されたパスワードＣｄ２を受信する。そして、表示ランプ６６を含む指示ユニット５８が本体７２の表面に配置され、生体認証ロック５４が設定状態になると、第２指示信号が生成される。例えば、表示ランプ６６が第２周波数で点滅し、設定状態が終了すると第２指示信号が終了し、例えば表示ランプ６６が消灯する。好ましくは、第２周波数は第１周波数とは異なる。
【００１６】
図８は、図６乃至図７のキー５６の別の実施形態を示す。図５および図８を参照すると、キー５６は、本体７６を有し、本体７６の表面には、ボタン４４およびボタン７８を含むボタンユニット２８が配置されている。ボタン７８を押すことによって本体７６内部に位置する制御ユニット６０をトリガーして生成されたパスワードＣｄ２を本体７６の内部にある保存ユニット３０に保存する。赤外線エミッタ４６を含む送信ユニット３２は本体７６の表面上に配置され、ボタン４４を押すことによって赤外線エミッタ４６がトリガーされ、赤外線を介してパスワードＣｄ２を生体認証ロック５４に送信する。そして、表示ランプ７０を含む指示ユニット６２が本体７６の表面に位置し、制御ユニット６０は、パスワードＣｄ２の生成に応じて指示信号を生成する。例えば、表示ランプ７０が周波数で点滅し、送信ユニット３２がキー５４にパスワードＣｄ２を送信した後、表示ランプ７０を消灯させる等の指示信号を終了する。
【００１７】
様々な実施形態では、図２乃至図４の生体認証ロック１２を図５乃至図８のキー５６と組み合わせて、異なる生体測定ロックセットを形成することができる。同様に、図５乃至図７の生体認証ロック５４を図２乃至図４のキー１４と組み合わせて、異なる生体認証ロックセットを形成することもできる。
【００１８】
図９は、本発明の生体認証ロックセットのペアリング方法のフローチャート８０を示す。図２、図５および図９を参照すると、ステップ８２において、パスワードＣｄ２などのパスワードが生成され、このステップは、図２に示すように、制御ユニット３３を介してパスワードを生成するステップを含む。例えば、８乃至１６桁の乱数コードが制御ユニット３３を介して生成されるか、またはパスワードが図５のキー５６をトリガーすることによって生成される。例えば、ボタンユニット２８を押して、キー５６の制御ユニット６０をトリガーすることによって８乃至１６桁の乱数コードを生成する。
一実施形態では、ボタンユニット２８（例えば、図６乃至図７のボタン４４など）は、制御ユニット６０にパスワードを生成させるために所定の時間連続して押される。別の実施形態では、ボタンユニット２８（例えば、図８のボタン７８）が押されて、制御ユニット６０がパスワードを生成する。ステップ８４において、パスワードは生体認証ロック１２／５４およびキー１４／５６に保存され、キー１４／５６は、生体認証ロック１２／５４にパスワードを送信することによって生体認証ロック１２／５４をロック解除することができる。
【００１９】
一実施形態では、図１０に示すように、図９のフローチャート８０のステップ８４は、ステップ８６乃至９２を含む。図２、図５及び図１０を参照すると、ステップ８６において、パスワードはキー１４／５６に保存され、例えばパスワードはキー１４／５６の保存ユニット３０に保存されている。ステップ８８において、パスワードは、キー１４／５６によって生体認証ロック１２／５４に送信される。例えば、キー１４／５６のボタンユニット２８を押して、送信ユニット３２がトリガーされ、生体認証ロック１２／５４にパスワードを送信する。好ましくは、送信ユニット３２は、パスワードを赤外線送信方式で生体認証ロック１２／５４に送信する。一実施形態では、図３乃至図４および図６乃至図７に示すように、キー１４／５６の赤外線エミッタ４６は生体認証ロック１２／５４の赤外線受信器４０に照準して、キー１４／５６のボタン４４を押すことによって赤外線送信器４６をトリガーし、パスワードを生体認証ロック１２／５４に送信する。好ましくは、例えば、パスワードがキー５６によって生成されるとき、キー５６がトリガーされ、パスワードを生成すると（ステップ８２）、キー５６がパスワードを生成することに応答して、指示信号が生成される。例えば、図６乃至図８のように、キー５６がパスワードを生体認証ロック１２／５４に送信した後（ステップ８８）に表示ランプ７０が周波数で点滅する光信号を消灯し、指示信号が終了する。ステップ９０では、パスワードが生体認証ロック１２／５４に保存されているかどうかが判定される。例えば、パスワードが生体認証ロック１２／５４の保存ユニット２４に保存されているかどうかが判定され、そうであれば、キー１４／５６は生体認証ロック１２／５４と正常にペアリングされる。ステップ９２では、パスワードが生体認証ロック１２／５４のロック解除パスワードとして使用される。例えば、その後の使用におけるパスワードＣｄ１は、キー１４／５６を介して生体認証ロック１２／５４に送信され、生体認証ロック１２／５４をロック解除することができる。逆に、パスワードが生体認証ロック１２／５４に保存されておらず、キー１４／５６が生体認証ロック１２／５４とペアにならないことを示す場合、ステップ８２乃至９０が繰り返される。一実施形態では、パスワードが生体認証ロック１２／５４に保存された後、生体認証ロック１２／５４は、パスワードが生体認証ロック１２／５４に保存されたことを示す完了信号をフィードバックする。したがって、生体認証ロック１２／５４にパスワードが記憶されているかどうかは、所定の時間内に完了信号が検出されたかどうかを判定することができる。ステップ９０は、完了信号が所定の時間内に検出されたかどうかを判定することを含む。例えば、所定時間内に完了信号が検出された場合、パスワードは生体認証ロック１２／５４の保存ユニット２４に保存される。一方、所定時間内に完了信号が検出されなければ、パスワードは生体認証ロック１２／５４の保存ユニット２４に保存されない。好ましくは、パスワードがキー１４／５６によって生成された場合、パスワードが生体認証ロック１２／５４に保存された後、キー１４／５６に生体認証ロック１２／５４にパスワードが記憶されていることを知らせるために、生体認証ロック１２／５４によって完了信号がキー１４／５６にフィードバックされる。キー１４／５６が所定の時間内に完了信号を受信すると、キー１４／５６は生体認証ロック１２／５４とうまく対になる。キー１４／５６が所定の時間に完了信号を受信しない場合、キー１４／５６は生体認証ロック１２／５４とペアにならず、ステップ８２が実行され、キー１４／５６によって新しいパスワードが生成され、ステップ８６からステップ９０を新しいパスワードで実行される。
【００２０】
図１１は、本発明の生体認証ロックセットのペアリング方法の別のフローチャート９４を示し、フローチャート９４は、ステップ８２乃至９２、ステップ９６、およびステップ９８を含む。ステップ８２乃至９２は、図９乃至図１０に示すものであり、ここでは詳細な説明は省略する。図２、図５及び図１１を参照すると、ステップ９６において、生体認証ロック１２／５４がトリガーされて設定状態に入る。例えば、生体認証ロック１２／５４内のトリガーユニット２２を所定の時間（例えば、３秒）連続的に押し、生体認証ロック１２／５４をトリガーして設定状態に入る。一実施形態では、図３に示すように、ボタン３８は、生体認証ロック１２をトリガーして設定状態に入るように所定の時間連続的に押される。別の実施形態では、図４に示すように、ロックフック５０は閉鎖位置にあり、生体認証ロック１２をトリガーして設定状態に入るように所定時間継続的に押される。好ましくは、生体認証ロック５４が設定状態に入ると、指示信号が生成される。例えば、図６乃至図７の表示ランプ６６は、生体認証ロック５４が設定状態にあることを示すためにある周波数で光信号を点滅する。ステップ９８において、パスワードが生体認証ロック１２／５４の保存ユニット２４にアンロックパスワードとして保存された後、生体認証ロック１２／５４の設定状態は終了する。好ましくは、生体認証ロック５４の設定状態が終了すると、指示信号が終了する。例えば、図６乃至図７の表示ランプ６６はオフにされ、生体認証ロック５４の設定状態は終了することを示している。
【００２１】
図５乃至図７および図１１を参照すると、様々な実施形態において、例えば、パスワードがキー１２/５６によって生成される場合、キー５６がトリガーされて、パスワードを生成すると（ステップ８２）、キー５６がパスワードを生成することに応答して、第１指示信号が生成される。例えば、表示ランプ７０は第１周波数で点滅している光信号である。そして、生体認証ロック５４が設定状態に入ると（ステップ９６）、第２指示信号を生成する。例えば、第２周波数で点滅している表示ランプ６６の光信号である。キー５６のボタンユニット２８が押されて、キー５６が生体認証ロック５４にパスワードを送信させると、第１指示信号と第２指示信号は同時に終了する。例えば、表示ランプ７０と表示ランプ６６は同時に消灯され、キー５６が生体認証ロック５４とうまく対になっていることを示す。好ましくは、第２周波数は第１周波数とは異なる。
【００２２】
本発明の好ましい実施形態の上記説明は例示的なものであり、本発明を限定するものではない。実施形態は、本発明の原理を説明し、当業者が様々な実施形態において本発明を使用できるようにすることを意図している。本発明の技術的思想は、添付の特許請求の範囲およびその均等物によって決定されることができる。
【符号の説明】
【００２３】
１０  生体認証ロックセット
１２  生体認証ロック
１４  キー
２０  検知ユニット
２２  トリガーユニット
２４  保存ユニット
２６  受信ユニット
２８  ボタンユニット
３０  保存ユニット
３２  送信ユニット
３３  制御ユニット
３４  本体
３６  指紋センサ
３８  ボタン
４０  赤外線受信器
４２  本体
４４  ボタン
４６  赤外線エミッタ
４８  本体
５０  ロックフック
５２  生体認証ロックグループ
５４  生体認証ロック
５６  キー
５８  指示ユニット
６０  制御ユニット
６２  指示ユニット
６４  本体
６６  表示ランプ
６８  本体
７０  表示ランプ  
７２  本体
７４  ロックフック
７６  本体
７８  ボタン
８０  生体認証ロック
８２  ステップ
８４  ステップ
８６  ステップ
８８  ステップ
９０  ステップ
９２  ステップ
９４  フローチャート
９６  ステップ
９８  ステップ
【図１】
2019075093.tif 000003
【図２】
2019075093.tif 000004
【図３】
2019075093.tif 000005
【図４】
2019075093.tif 000006
【図５】
2019075093.tif 000007
【図６】
2019075093.tif 000008
【図７】
2019075093.tif 000009
【図８】
2019075093.tif 000010
【図９】
2019075093.tif 000011
【図１０】
2019075093.tif 000012
【図１１】
2019075093.tif 000013